(57)【要約】【課題】本発明は、箱の中に梱包した製品に対し、品質を確実に保持できる箱を提供することにある。【解決手段】外箱２の中に製品４を入れて梱包し、さらに、前記外箱２は、石炭灰を主原料とする人工ゼオライト粉５を紙繊維に絡めた紙材によって形成していることを特徴とする。【選択図】　　　図２
2004026215.tif 000002
【特許請求の範囲】
【請求項１】
製品（４）を中に入れて梱包する外箱（２）は、石炭灰を主原料とする人工ゼオライト粉（５）に紙繊維を絡めた紙材によって形成していることを特徴とする箱。
【請求項２】
前記外箱（２）の中は、厚手の紙材で形成した格子状をなす仕切り材（１）を入れて区画してあり、
さらに、前記仕切り材（１）は、石炭灰を主原料とする人工ゼオライト粉（５）を紙繊維に絡めた紙材によって形成していることを特徴とする請求項１記載の箱。
【請求項３】
前記外箱（２）又は／及び仕切り材（１）は、石炭灰を主原料とする人工ゼオライト粉（５）を紙繊維に絡めた波形をなす芯紙（７）を、２枚の紙（１０，１０）で挟んだサンドイッチ構造をなす紙材により形成していることを特徴とする請求項１又は２記載の箱。
【請求項４】
外箱（２）又は／及び仕切り材（１）と、梱包した製品（４）との間に、石炭灰を主原料とする人工ゼオライト粉（５）を紙繊維に絡めて形成した短冊状の緩衝材（１１）を多数介在していることを特徴とする請求項１、２又は３記載の箱。
【発明の詳細な説明】
【０００１】
【発明の属する技術分野】
本発明は、製品を中に入れて梱包する箱に関するものである。
【０００２】
【従来の技術】
生鮮食料品や精密機械等、一般にその扱いがデリケートな製品を梱包する場合、箱の中の製品の品質を保持する観点から、前記箱の内面側にゼオライトを混合した塗料を塗布したり、あるいは、箱の印刷などにゼオライトを混合したインクを使用する商品があった。これらは、例えば、生鮮食料品から発せられるエチレンガスや、製品に付着する湿気等をゼオライトに吸着することで、箱の中に梱包した製品の品質の保持を図るものであった。
【０００３】
【発明が解決しようする課題】
しかしながら、前記のように箱の内面側にゼオライトを混合した塗料を塗布したものや、あるいは、ゼオライトを混合したインクで印刷したものは、ゼオライトが存在する部位の近傍でのみ吸着効果を発揮するため、箱内全体に前記ゼオライトの吸着効果が及ばない不都合があった。このような箱に実際に生鮮食料品を梱包して搬送した場合には、搬送時間の経過とともに生鮮食料品からエチレンガスが発生し、このエチレンガスは生鮮食料品の熟成を早める作用があるため、これをそのまま箱に梱包し、長時間搬送を行なうことは品質の劣化を招くことから難しく、事前に搬送時間を見極めて、前記生鮮食料品を早熟な段階で送り出す手間があった。また、小型精密機器や電子部品などを箱の中に梱包して搬送する場合には、例えば、これらの製品を船積み等で搬送する際に、船の中は一般的に、暑いときには４０℃以上の高温、また夜間や天候の悪い時には、氷点下を下回るようなことが多く、寒暖の差が激しいものであった。この結果、比較的湿気に弱い小型精密機器や電子部品が結露を起こし、最悪の場合、前記梱包物を故障させる不都合があった。
【０００４】
本発明は、箱の中に梱包した製品に対し、品質を確実に保持できる箱を提供することにある。
【０００５】
【課題を解決するための手段】
本発明のうち請求項１記載の発明は、製品を中に入れて梱包する外箱は、石炭灰を主原料とする人工ゼオライト粉を紙繊維に絡めた紙材によって形成していることを特徴とする。
【０００６】
石炭灰を原材料とする人工ゼオライト粉を外箱の紙材に適用したのは、天然のゼオライトに比べて吸着性能が高く、また一般的に、火力発電所や焼却炉等で排出される石炭灰を主原料としていることから、廃棄物の再利用と製造コストの軽減化を図ることができる。さらに、人工ゼオライト粉を紙繊維に絡ませるには、箱を構成する紙材の紙漉き工程の段階で前記人工ゼオライト粉を添加することによって製造できる。
【０００７】
このように形成すると、箱内に果物や野菜等の生鮮食料品を梱包した場合には、生鮮食料品から発せられるエチレンガスが外箱に吸着され、前記生鮮食料品の鮮度を長時間に亘り保持することになり、また、本箱の中に梱包する製品が小型精密機器や電子部品等であれば、前記外箱に内在する人工ゼオライト粉が、前記製品の周りを取り巻く湿気を吸着して該製品への結露を防止し、箱の中に梱包した製品の故障や不具合を防ぐことになる。
【０００８】
本発明のうち請求項２記載の発明は、前記外箱の中は、厚手の紙材で形成した格子状をなす仕切り材を入れて区画してあり、さらに、前記仕切り材は、石炭灰を主原料とする人工ゼオライト粉を紙繊維に絡めた紙材によって形成しているので、前記人工ゼオライト粉を内在する仕切り材を外箱の中に置くことで、前記箱内の空間全体に均一な状態で人工ゼオライト粉による吸着効果が行き届き、結果、箱の中に梱包した製品の品質を一層確実に保持できるばかりか、各製品を仕切って製品同士の接触を避けることで、梱包した製品の損傷も一層に回避できる。
【０００９】
厚手の紙とは、人工ゼオライト粉を紙繊維に充分に絡ませられる厚みを有するものが望ましく、具体的に段ボールや、あるいはボール紙等が挙げられるが、その種類については特に限定するものではない。さらに、仕切り材によって箱内を格子状に区画する場合に、その区画スペースの数や大きさを限定するものではない。
【００１０】
本発明のうち請求項３記載の発明では、前記外箱又は／及び仕切り材は、石炭灰を主原料とする人工ゼオライト粉を紙繊維に絡めた波形をなす芯紙を、２枚の紙で挟んだサンドイッチ構造をなす紙材により形成しているので、人工ゼオライト粉を絡ませた部分が直接製品に接触しないため、この製品に予め付着する水分や油脂分などが人工ゼオライト粉に付着せず、さらに、芯紙を波形に形成することで表面積が拡大するから、仕切り材中の人工ゼオライト粉によるエチレンガスや湿気等の吸着を一層効率よく行なう。
【００１１】
ここで、芯紙を２枚の紙で挟む形態のものとは具体的に、段ボール紙が挙げられる。また波形の芯紙とは、滑らかに彎曲するものは勿論、ジグザグした山切り状のものをも含んだ概念である。
【００１２】
さらに、請求項４記載の発明によれば、外箱又は／及び仕切り材と、梱包した製品との間に、石炭灰を主原料とする人工ゼオライト粉を紙繊維に絡めて形成した短冊状の緩衝材を多数介在しているので、仕切り材による吸着効果に加えて、緩衝材においても製品にとって有害な物質や湿気を吸着するので、相乗的な吸着効果を得られる。
【００１３】
短冊状の緩衝材としては、例えば、細長く刻んだ切片状の和紙や、あるいは、こよりのように細く纏めた紙等が挙げられる。
【００１４】
【発明の実施の形態】
本発明の箱の実施形態を以下に説明する。
ここでまず、本発明に使用する石炭灰を主原料とする人工ゼオライト粉５について説明すると、本実施形態の人工ゼオライト粉５は、中部電力株式会社が製造したものを使用しており、この人工ゼオライト粉５の分析結果は表１のように、カルシウムとシリコン、アルミナを中心に形成してあり、天然のゼオライト粉と性能に遜色ないばかりか、むしろ、吸着性能が高くなっている。また湿気や、あるいは製品への有害物質の吸着性能をはかる上で重要な要素となる細孔経については、２０〜５０Åの範囲内の数値を示し、これは吸着剤として代表的に使用されている珪酸アルミナ等とほぼ同等の大きさである。さらに、溶出ＰＨは５〜１０の範囲内を呈するので、対象物に吸着剤として適用した後で廃棄した場合でも、自然環境に悪影響を及ぼさない。
【００１５】
【表１】
2004026215.tif 000003
【００１６】
まず、本発明の箱のうち、第１実施形態のものは図１のように、方形をなす段ボール箱２の中に、約５ｍｍ厚程度の厚手のボール紙で形成した格子状の仕切り材１を入れたものである。そして、この仕切り材１には、火力発電所から排出された石炭灰を主原料とする人工ゼオライト粉５が内在しており、この人工ゼオライト粉５によって、外箱２の中に支持台６で位置決めして梱包した林檎４から時間の経過とともに発せられるエチレンガス９や、空気中の湿気等を物理吸着するものである。
尚、本実施形態では、紙繊維に人工ゼオライト粉５を絡ませたシート１２を備えたものであり、このシート１２は必ずしも備えなくてもよいが、備えた場合には、本発明の箱の吸着性能を介助することになる。
【００１７】
そして、前記仕切り材１に人工ゼオライト粉５を内在する方法としては、外箱２を形成するボール紙の製造工程のうち、紙漉き工程において前記人工ゼオライト粉５を紙繊維１００重量部に対して、２０重量部を混合して作業を行ない、これによって紙繊維の隙間に人工ゼオライト粉５が絡まった状態のボール紙を製造し、これを使用したものである。さらに図２のように、この人工ゼオライト粉５を内在した仕切り材１によって区画したスペースＳ内では、本実施形態の外箱２の梱包物である林檎４から発せられたエチレンガス９が、各仕切り材１に内在する人工ゼオライト粉５に吸着される。
【００１８】
そこで、前記のように人工ゼオライト粉５を内在した仕切り材１について、具体的に、紙４０ｍｇ／ｍ２を１００重量部とする紙繊維に対して、２０重量部の人工ゼオライト粉５を固着したものを試料１、また、紙５０ｍｇ／ｍ２を１００重量部とする紙繊維に対して、２５重量部の人工ゼオライト粉５を固着したものを試料２とし、それぞれについて、密閉したケース内にアンモニアガスを注入して臭気検知センサーを用いて脱臭性能を測定した。
【００１９】
そして各試料の脱臭性能を表２に示したが、まず試料１では、当初２７ｐｐｍ存在していたアンモニアが、１５分後には２ｐｐｍ、３０分後には１ｐｐｍとなっており、次に試料２では、当初２０ｐｐｍ存在していたアンモニアが１０分後に２ｐｐｍ、さらに３０分後には、ほとんど検出されなかった。この結果から、林檎４やミカン４等の生鮮食料品を梱包した外箱２についても、仕切り材１で区画することにより、前記生鮮食料品から発生したエチレンガス９等が人工ゼオライト粉５に吸着され、結果、生鮮食料品の品質を長時間保つことができると推測される。
【００２０】
【表２】
2004026215.tif 000004
【００２１】
次に、前記試料１を用いて仕切り材１の吸湿性能を測定したものを表３に示す。この結果、測定開始後８１０分までを測定したが、仕切り材１は区画したスペースＳ内を吸湿率１０％前後の状態を保つので、小型精密機器や電子部品等の比較的湿気に弱い製品を梱包した場合でも、長時間結露を防止できることが実証された。
【００２２】
【表３】
2004026215.tif 000005
【００２３】
次に、本発明の箱の第２実施形態について説明すると図３に示すように、外箱２を段ボール紙の構造のように、波形をなす芯紙７の表面側と裏面側に、化粧紙１０，１０をそれぞれに貼り、サンドイッチ構造に形成したものである。そして実際に、梱包製品となるミカン４を前記構成の外箱２によって形成された区画スペースＳ内に入れた場合には図４のように、前記ミカン４と芯紙７が化粧紙１０によって遮られて接触しないので、ミカン４に予め付着している水分や埃などが人工ゼオライト粉５に付着せず、ミカン４の鮮度を一層長時間保つことができる区画スペースＳを構築する。しかも、芯紙７が波形をなすことで、芯紙７と化粧紙１０との間に間隙８が形成されるので、この間隙８の部分にミカン４から発せられたエチレンガス９や、空気中の湿気、あるいは前記ミカン４の腐敗を促進する様々な物質が流入し、最終的に流入したガス状の物質が前記芯紙７内の人工ゼオライト粉５に広く吸着され、結果、吸着性能を一層高めている。
【００２４】
また、本発明の箱の第３実施形態を図５に基づいて説明すると、仕切り材１によって区画されたスペースＳ内に人工ゼオライト粉５を定着した細片紙１１を梱包物となる林檎４とともに多数入れたものである。これにより前記細片紙１１は、林檎４と仕切り材１との間の緩衝手段を兼ねた仕切り部材となり、しかも各細片紙１１，１１間には、間隙８が形成されることから、箱２内の梱包物である林檎４から発せられるエチレンガス９は、一度、前記間隙８を通って細片紙１１に内在する人工ゼオライト粉５に吸着する。
【００２５】
尚、図示はしていないが、本発明は紙繊維に人工ゼオライト粉５を絡ませた紙材により、単に箱形に構成したものであってもよく、中に製品の梱包が可能な区画スペースＳを形成できる形態であれば特にその形態を限定しない。
【００２６】
【発明の効果】
本発明のうち請求項１記載の発明によれば、製品を取り巻く有害物質や湿気を、外箱に内在する人工ゼオライト粉に吸着するので、箱の中に梱包した製品の品質を長時間保持でき、また使用する人工ゼオライト粉が、火力発電所や工場等から排出される石炭灰を主原料としているので、従来廃棄物として処分されていたものの再利用という観点から、近年叫ばれる資源の有効利用に大きく寄与することになる。
【００２７】
本発明のうち請求項２記載の発明によれば、請求項１記載の発明の効果に加えて、外箱の内部全体に均一な状態で仕切り材が配置してあるので、人工ゼオライト粉の吸着効果が前記外箱内の隅々にまで行きわたり、結果、箱の中に梱包した製品の品質を一層長時間保持できる。
【００２８】
また、本発明のうち請求項３記載の発明によれば、請求項１及び２記載の発明の効果に加えて、人工ゼオライト粉に直接製品が接しないので、製品の品質を保持したまま、搬送時間の一層の延長が期待できる。
【００２９】
さらに、本発明のうち請求項４記載の発明によれば、請求項１、２及び３記載の発明の効果に加えて、外箱、あるいは仕切り材と製品との間の緩衝材においても、人工ゼオライト粉の吸着効果を発揮するので、前記仕切り材との相乗的な吸着効果が得られる。
【図面の簡単な説明】
【図１】本発明の箱の第１実施形態を示す一部を切欠した斜視図である。
【図２】図１のＡ−Ａ線を縦断面し、さらに拡大して示す説明図である。
【図３】本発明の箱の第２実施形態を示す一部を切欠した斜視図である。
【図４】図３の箱を実際に使用している状態を示す説明図である。
【図５】本発明の箱の第３実施形態を示す説明図である。
【符号の説明】
１　仕切り材
２　外箱
４　林檎、ミカン（製品）
５　人工ゼオライト粉
７　芯紙
１０　化粧紙（紙）
Ｓ　区画スペース
【図１】
2004026215.tif 000006
【図２】
2004026215.tif 000007
【図３】
2004026215.tif 000008
【図４】
2004026215.tif 000009
【図５】
2004026215.tif 000010